【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
複数の光源手段と、前記複数の光源手段から発せられた複数の光束を偏向走査する偏向手段と、前記偏向手段により偏向走査された複数の光束をそれぞれの光源手段に対応した被走査面上に結像させる１つ以上の結像光学素子を有する結像光学系と、を有する走査ユニットを１つ以上備えた光走査装置であって、
前記偏向手段の同一の偏向面には、副走査断面内において前記複数の光束が前記偏向手段の回転軸に垂直な平面に対して異なる角度をもって入射しており、
前記１つ以上の結像光学素子は、複数の光学有効部と、前記複数の光学有効部の間であって光束が通過しない光学非有効部を１つ以上有しており、
前記１つ以上の結像光学素子は、副走査断面内において前記同一の偏向面で偏向された複数の光束が互いに異なる光学有効部を通過しており、
副走査断面内において、前記複数の光学有効部の各頂点を結んだ線分から前記複数の光学有効部の間の光学非有効部の頂点までの前記結像光学素子の光軸方向の距離が１．０ｍｍ以下となるように構成されていることを特徴とする光走査装置。
【請求項２】
複数の光源手段と、前記複数の光源手段から発せられた複数の光束を偏向走査する偏向手段と、前記偏向手段により偏向走査された複数の光束をそれぞれの光源手段に対応した被走査面上に結像させる１つ以上の結像光学素子を有する結像光学系と、を有する走査ユニットを１つ以上備えた光走査装置であって、
前記偏向手段の同一の偏向面には、副走査断面内において前記複数の光束が前記偏向手段の回転軸に垂直な平面に対して異なる角度をもって入射しており、
前記１つ以上の結像光学素子は複数の光学有効部と、前記複数の光学有効部の間であって光束が通過しない光学非有効部を１つ以上有しており、
前記１つ以上の結像光学素子は、副走査断面内において前記同一の偏向面で偏向された複数の光束が互いに異なる光学有効部を通過しており、
副走査断面内において、前記複数の光学有効部を各光束の主光線が通過する位置から前記複数の光学有効部の間の光学非有効部の頂点までの前記結像光学素子の光軸方向の距離が１．０ｍｍ以下となるように構成されていることを特徴とする光走査装置。
【請求項３】
前記複数の光学有効部と前記光学非有効部は、傾きが連続となるように接続されていることを特徴とする請求項１又は２に記載の光走査装置。
【請求項４】
前記複数の光源手段から発せられた複数の光束が前記偏向手段の同一の偏向面に入射するときの副走査方向の離間量が０ｍｍ以上１．０ｍｍ以下であることを特徴とする請求項１、２又は３に記載の光走査装置。
【請求項５】
前記結像光学系の副走査断面内の結像倍率をβｓとするとき、
１．８≦｜βｓ｜≦３．０
なる条件を満足することを特徴とする請求項１から４のいずれか１項に記載の光走査装置。
【請求項６】
各々が請求項１から５の何れか１項に記載の光走査装置の被走査面に配置され、互いに異なった色の画像を形成する複数の像担持体とを有することを特徴とするカラー画像形成装置。
【請求項７】
外部機器から入力した色信号を異なった色の画像データに変換して各々の光走査装置に入力せしめるプリンタコントローラを有していることを特徴とする請求項６に記載のカラー画像形成装置。
【手続補正２】
【補正対象書類名】明細書
【補正対象項目名】００２０
【補正方法】変更
【補正の内容】
【００２０】
請求項１の発明の光走査装置は、複数の光源手段と、前記複数の光源手段から発せられた複数の光束を偏向走査する偏向手段と、前記偏向手段により偏向走査された複数の光束をそれぞれの光源手段に対応した被走査面上に結像させる１つ以上の結像光学素子を有する結像光学系と、を有する走査ユニットを１つ以上備えた光走査装置であって、
前記偏向手段の同一の偏向面には、副走査断面内において前記複数の光束が前記偏向手段の回転軸に垂直な平面に対して異なる角度をもって入射しており、
前記１つ以上の結像光学素子は、複数の光学有効部と、前記複数の光学有効部の間であって光束が通過しない光学非有効部を１つ以上有しており、
前記１つ以上の結像光学素子は、副走査断面内において前記同一の偏向面で偏向された複数の光束が互いに異なる光学有効部を通過しており、
副走査断面内において、前記複数の光学有効部の各頂点を結んだ線分から前記複数の光学有効部の間の光学非有効部の頂点までの前記結像光学素子の光軸方向の距離が１．０ｍｍ以下となるように構成されていることを特徴としている。
【手続補正３】
【補正対象書類名】明細書
【補正対象項目名】００２１
【補正方法】変更
【補正の内容】
【００２１】
請求項２の発明の光走査装置は、複数の光源手段と、前記複数の光源手段から発せられた複数の光束を偏向走査する偏向手段と、前記偏向手段により偏向走査された複数の光束をそれぞれの光源手段に対応した被走査面上に結像させる１つ以上の結像光学素子を有する結像光学系と、を有する走査ユニットを１つ以上備えた光走査装置であって、
前記偏向手段の同一の偏向面には、副走査断面内において前記複数の光束が前記偏向手段の回転軸に垂直な平面に対して異なる角度をもって入射しており、
前記１つ以上の結像光学素子は複数の光学有効部と、前記複数の光学有効部の間であって光束が通過しない光学非有効部を１つ以上有しており、
前記１つ以上の結像光学素子は、副走査断面内において前記同一の偏向面で偏向された複数の光束が互いに異なる光学有効部を通過しており、
副走査断面内において、前記複数の光学有効部を各光束の主光線が通過する位置から前記複数の光学有効部の間の光学非有効部の頂点までの前記結像光学素子の光軸方向の距離が１．０ｍｍ以下となるように構成されていることを特徴としている。
【手続補正４】
【補正対象書類名】明細書
【補正対象項目名】００２２
【補正方法】変更
【補正の内容】
【００２２】
請求項３の発明は請求項１又は２の発明において、前記複数の光学有効部と前記光学非有効部は、傾きが連続となるように接続されていることを特徴としている。
【手続補正５】
【補正対象書類名】明細書
【補正対象項目名】００２３
【補正方法】変更
【補正の内容】
【００２３】
請求項４の発明は請求項１、２又は３の発明において、前記複数の光源手段から発せられた複数の光束が前記偏向手段の同一の偏向面に入射するときの副走査方向の離間量が０ｍｍ以上１．０ｍｍ以下であることを特徴としている。
【手続補正６】
【補正対象書類名】明細書
【補正対象項目名】００２４
【補正方法】変更
【補正の内容】
【００２４】
請求項５の発明は請求項１から４の何れか１項の発明において、前記結像光学系の副走査断面内の結像倍率をβｓとするとき、
１．８≦｜βｓ｜≦３．０
なる条件を満足することを特徴としている。
【手続補正７】
【補正対象書類名】明細書
【補正対象項目名】００２５
【補正方法】変更
【補正の内容】
【００２５】
請求項６の発明のカラー画像形成装置は、各々が請求項１から５の何れか１項に記載の光走査装置の被走査面に配置され、互いに異なった色の画像を形成する複数の像担持体とを有することを特徴としている。
【手続補正８】
【補正対象書類名】明細書
【補正対象項目名】００２６
【補正方法】変更
【補正の内容】
【００２６】
請求項７の発明は請求項６の発明において、外部機器から入力した色信号を異なった色の画像データに変換して各々の光走査装置に入力せしめるプリンタコントローラを有していることを特徴としている。
【手続補正９】
【補正対象書類名】明細書
【補正対象項目名】００３１
【補正方法】変更
【補正の内容】
【００３１】
本実施例の光走査装置は光偏向器（ポリゴンミラー）５を挟み２つの結像レンズ系（結像光学系）１５ａ，１５ｂを備え、夫々の結像レンズ系１５ａ，１５ｂへ２本の光束を入射させて１つの光偏向器５により同時に４本の光束を反射偏向する。そして４本の光束を夫々に対応した感光ドラム面８ａ，８ｂ，８ｃ，８ｄに導光し、該感光ドラム面８ａ，８ｂ，８ｃ，８ｄ上を光走査する走査ユニットを１以上備えたタンデム型の光走査装置である。
【手続補正１０】
【補正対象書類名】明細書
【補正対象項目名】００５８
【補正方法】変更
【補正の内容】
【００５８】
Ｙ３は光束が通過しない光学非有効部（光学非有効面）であり、光学有効部Ｙ１、Ｙ２間に１以上有している。この光学非有効部Ｙ３は繋ぎ部２３に含まれている。